(57)【要約】【課題】化合物または混合物の鼻腔内送達に対するより洗練されたデバイスを提供する。【解決手段】ハウジングと、化合物を保持するバイアルと、推進剤の供給源とを含み、ハウジングは、バイアルのための入口および出口を提供し、入口は、推進剤の供給源と流体連通し、かつ、直列形経鼻送達デバイス化合物に対して向けられ、出口は、化合物の送達を可能にする、化合物のための送達デバイス。【選択図】図１
2020185475.tif 000002
【特許請求の範囲】
【請求項１】
化合物の鼻腔内送達のためのデバイスであって、
先端、化合物を収容するバイアル、及び、前記バイアルからくみ上げられた化合物を受け取るための用量チャンバを含むハウジングと、
作動により前記バイアルから化合物を移動させる定量ポンプと、
前記用量チャンバからの出口を提供するために前記用量チャンバと結合されたノズルと、
前記用量チャンバに結合され、推進剤キャニスタから推進剤を受け取るように構成された拡散器と、
前記推進剤キャニスタの一部を保持するように構成されたアクチュエータグリップと、
アクチュエータであって、前記ハウジングの圧縮時に前記バイアルからの化合物の放出を制御するとともに、化合物が前記用量チャンバから前記ノズルを出るときに、推進剤が化合物を同伴するように、作動の際に放出される化合物の大部分が前記用量チャンバに入った後、前記推進剤キャニスタからの推進剤の放出を制御するアクチュエータと、
を備えるデバイス。
【請求項２】
前記定量ポンプを前記バイアルに固定するポンプ取付具をさらに備える請求項１に記載のデバイス。
【請求項３】
前記定量ポンプに結合された逆止弁をさらに含む請求項１に記載のデバイス。
【請求項４】
前記ハウジングに係合しているノーズコーンをさらに含む請求項１に記載のデバイス。
【請求項５】
前記拡散器は環状である請求項１に記載のデバイス。
【請求項６】
前記拡散器は多孔質材料である請求項１に記載のデバイス。
【請求項７】
前記拡散器は前記用量チャンバの底を形成する請求項１に記載のデバイス。
【請求項８】
化合物の鼻腔内送達のためのデバイスであって、
先端、及び、化合物を収容するバイアルから化合物を受け取るための用量チャンバを含むハウジングと、
前記用量チャンバからの出口を提供するために前記用量チャンバと結合されたノズルと、
作動により前記バイアルから化合物を移動させる定量ポンプと、
アクチュエータであって、前記ハウジングの圧縮時に前記バイアルからの化合物の放出を制御するとともに、化合物が前記用量チャンバから前記ノズルを出るときに、推進剤が化合物を同伴するように、作動の際に放出される化合物の大部分が前記用量チャンバに入った後、前記推進剤キャニスタからの推進剤の放出を制御するアクチュエータと、
を備えるデバイス。
【請求項９】
前記推進剤キャニスタは、前記アクチュエータによって作動される推進剤弁を有し、前記推進剤キャニスタは、前記用量チャンバと流体連通している請求項８に記載のデバイス。
【請求項１０】
前記用量チャンバに結合され、推進剤キャニスタから推進剤を受け取るように構成された拡散器をさらに含む請求項８に記載のデバイス。
【請求項１１】
鼻腔の嗅覚領域への化合物の鼻腔内送達のためのデバイスであって、
先端、化合物を収容するバイアル、及び、前記バイアルからくみ上げられた化合物を受け取るための用量チャンバを含むハウジングと、
前記用量チャンバからの出口を提供するために前記用量チャンバと結合されたノズルと、
作動により前記バイアルから化合物を移動させる定量ポンプと、
推進剤を収容する推進剤キャニスタと、
アクチュエータであって、前記ハウジングの圧縮時に前記バイアルからの化合物の放出を制御するとともに、化合物が前記用量チャンバから前記ノズルを出るときに、推進剤が化合物を同伴するように、作動の際に放出される化合物の大部分が前記用量チャンバに入った後、前記推進剤キャニスタからの推進剤の放出を制御するアクチュエータと、
を備えるデバイス。
【請求項１２】
内部用量装填チャネルと、ばねと、をさらに含み、
前記拡散器が前記内部用量装填チャネルと前記用量チャンバとの間にある請求項１に記載のデバイス。
【請求項１３】
前記推進剤キャニスタは、前記アクチュエータによって作動される推進剤弁を有し、前記推進剤キャニスタは、前記用量チャンバと流体連通している請求項１１に記載のデバイス。
【請求項１４】
拡散器をさらに備える請求項１１に記載のデバイス。
【請求項１５】
内部用量装填チャネルをさらに含み、
前記拡散器は、前記内部用量装填チャネルの外壁と前記用量チャンバの内壁との間に着座される請求項１４に記載のデバイス。
【請求項１６】
内部用量装填チャネルをさらに含み、
前記拡散器は、前記内部用量装填チャネルの外壁と前記用量チャンバの内壁との間に着座される請求項１０に記載のデバイス。
【発明の詳細な説明】
【技術分野】
【０００１】
化合物の鼻腔内送達のためのデバイス。
【背景技術】
【０００２】
関連出願の相互参照
本出願は、参照によりその内容全体が本明細書に組み込まれている、２０１５年９月１０日に出願した米国特許仮出願第６２／２１６，７８９号の優先権を主張するものである。
【０００３】
鼻腔の嗅覚領域上への薬剤の沈着は、鼻腔の複雑な構造、および、鼻を通る吸入された呼気のための鼻甲介によって案内される空気経路のために、達成するのが難しい。これらの自然の構造は、この中枢神経系（ＣＮＳ）内への経路を保護する手段として、物質が嗅覚領域上に沈着するのを防ぐように作用する。Ｐｆｉｅｆｆｅｒ経鼻スプレーデバイス（Ｒａｄｏｌｆｚｅｌｌ、Ｇｅｒｍａｎｙ）などの点鼻デバイスまたは経鼻スプレーデバイスは、下側鼻腔を湿らせるように設計されている。下側鼻腔上に沈着した薬剤は、ＣＮＳにではなく血流中に吸収され、ＣＮＳ送達のための経鼻ルートを使用することの利点が排除される。
【発明の概要】
【発明が解決しようとする課題】
【０００４】
化合物または混合物の鼻腔内送達に対するより洗練された手法が必要とされている。
【課題を解決するための手段】
【０００５】
化合物の鼻腔内送達のためのデバイスの１つの実施態様が示されかつ説明され、このデバイスは、基部、基部から放射状に延びるｙ字形接合器（y-junction）の第１の枝路、基部から放射状に延びるｙ字形接合器の第２の枝路、基部から放射状に延びるｙ字形接合器の第３の枝路、およびｙ字形接合器の内部用量装填チャネルを有するｙ字形接合器と、ｙ字形接合器の第１の枝路と流体連通している定量ポンプと、ｙ字形接合器の第２の枝路と結合する円錐形ばねと、ｙ字形接合器の第３の枝路と流体連通している用量チャンバと、用量チャンバと結合するノズルと、内部用量装填チャネルと用量チャンバとの間に圧縮嵌合する拡散器と、ｙ字形接合器を取り囲むアクチュエータグリップと、ｙ字形接合器が内在するハウジングとを含む。
【０００６】
１つの態様では、直列形経鼻送達デバイスは、ｙ字形接合器の第２の枝路と流体連通しかつアクチュエータグリップによって保持される推進剤キャニスタをさらに含み、円錐形ばねは、推進剤キャニスタとｙ字形接合器の第２の枝路との間に位置する。
【０００７】
別の態様では、直列形経鼻送達デバイスは、定量ポンプと流体連通しているバイアルをさらに含む。
【０００８】
さらに別の態様では、直列形経鼻送達デバイスは、定量ポンプをバイアルに固定するポンプ取付具をさらに含む。
【０００９】
別の実施態様では、化合物の鼻腔内送達のための直列形経鼻送達デバイスが示されかつ説明され、このデバイスは、先端、アクチュエータ、および用量チャンバを含むハウジングであって、該先端および該用量チャンバはハウジング内で流体連通しているハウジングと、該先端の遠位部分に位置するノズルであって、化合物のための出口を提供するノズルと、該用量チャンバと流体連通しているポンプであって、化合物を用量チャンバ内に移動させるためのポンプとを具備する。
【００１０】
１つの態様では、直列形経鼻送達デバイスは、ハウジングと連通している推進剤キャニスタであって、推進剤弁を有しかつ用量チャンバと流体連通している推進剤キャニスタをさらに備える。
【００１１】
別の態様では、直列形経鼻送達デバイスは、化合物を用量チャンバ内に移動させるためのポンプと協働する化合物のバイアルをさらに含む。
【００１２】
別の態様では、直列形経鼻送達デバイスは、作動されると、化合物を用量チャンバ内に移動させるポンプを圧縮し、推進剤弁の作動が、化合物を押す推進剤を分散させて、化合物がノズル開口部を通ってデバイスから出ることを実現する。
【００１３】
本発明は、任意の添付の図面と併せ、様々な実施態様に関する以下の詳細な説明を参照することにより、最も良く理解されるであろう。以下の論述は、記述的、例証的、かつ例示的なものであり、任意の添付の特許請求の範囲によって定義される範囲を限定するものとみなされるべきではない。
【図面の簡単な説明】
【００１４】
上記の態様、および利点の多くは、添付の図面と併せ以下の詳細な説明を参照することによりそれらがよりよく理解されるにつれて、より容易に評価されるであろう。
【図１】直列形経鼻送達デバイスの断面図である。
【図２】休止および作動の段階における直列形経鼻送達デバイスの断面図である。（図２Ａ）休止時の直列形経鼻送達デバイスを示す図である。（図２Ｂ）ポンプの作動を示す図である。（図２Ｃ）推進剤弁の作動を示す図である。
【図３】直列形経鼻送達デバイスの別の実施態様の断面図である。
【図４】デバイス内に着座される拡散器の断面図である。
【図５Ａ】組み立てられていない用量チャンバおよびｙ字形接合器の分解組立図である。
【図５Ｂ】協働する用量チャンバおよびｙ字形接合器の分解組立図である。
【図６】用量および推進剤の両方の流れを表す矢印を示す図である。
【図７】アクチュエータグリップおよび円錐形ばね構成を示す図である。
【図８】任意選択のノーズコーンの断面図、および任意選択のノーズコーンの側面図である。
【発明を実施するための形態】
【００１５】
本明細書において商標が使用される場合、出願人は、商標製品および調合物、ジェネリック化合物、ならびに商標製品の医薬品有効成分を独立に含むことを意図する。
【００１６】
開示を明確にするために、しかし、限定を目的とするのではなく、詳細な説明は以下のサブセクションに分割される。
【００１７】
別段定義されない限り、本明細書において使用される全ての技術用語および科学用語は、説明される方法、装置、および組成物に関係する当業者によって共通に理解されるものと同じ意味を有する。本明細書において、以下の用語および句は、別段明記されない限り、それらに帰する意味を有する。
【００１８】
「ａ」または「ａｎ」は、１つまたは複数を意味し得る。
【００１９】
１つの実施態様では、直列形経鼻送達デバイス１は、鼻弁を越えて鼻腔内に化合物を送達し、かつ、鼻腔内に化合物を沈着させる。沈着は、鼻甲介領域および／または嗅覚領域を含む。送達される化合物は、液体である。化合物は、薬剤、医薬品有効成分、または医薬品製剤であり得る。送達される化合物は、一用量であり得る。
【００２０】
図１に示されるように、直列形経鼻送達デバイス１は、ハウジング１０、拡散器２０、先端３５、ノズル４０、用量チャンバ４５、アクチュエータ５０、および、化合物を用量チャンバ４５内に移動させるためのポンプ２５を含む。１つの態様では、直列形経鼻デバイス１は、推進剤キャニスタ５、推進剤弁１５、および、化合物を用量チャンバ４５内に移動させるためのポンプ２５と協働する化合物のバイアル３０に結合し、かつ、それらと協働する。
【００２１】
１つの態様では、拡散器２０は、フリット（frit）２１である。拡散器は、推進剤キャニスタ５内の液化推進剤の気体への変換、および／または推進剤の温度の上昇をもたらす。
【００２２】
１つの態様では、推進剤弁１５は、定量推進剤弁１６である。
【００２３】
１つの態様では、化合物は、多量の液体を収容する、例えばガラス製の密封されたバイアル３０の形態で供給される。１つの態様では、バイアル３０は、取り外し可能なクロージャ３２（図示せず）によって密封されるネック３１を有し、例えば、しかし限定されないが、プラスチック製カバー、圧着金属シール、およびゴム栓を用いて（安定性および滅菌の目的のために）密封される。１つの態様では、バイアル３０は、医薬品有効成分を収容し得る。クロージャ３２が取り外されると、デバイス１は、１つの態様では、バイアル３０のネック３１と協働することにより、バイアル３０に係合される。ポンプ２５が、化合物を用量チャンバ４５内に移動させる。
【００２４】
推進剤キャニスタ５は、圧縮気体または液化推進剤のキャニスタである。圧縮気体は、圧縮空気および圧縮炭化水素を含むが、これらに限定されない。１つの態様では、窒素または二酸化炭素である。液化推進剤は、クロロフルオロカーボンおよびヒドロフルオロアルカンを含むが、これらに限定されない。キャニスタ５は一般に、気体流を制御することができる推進剤弁１５を備える。
【００２５】
先端３５は、ノズル４０を含む。１つの態様では、ノズル４０は、複数のノズル開口部４１（図示せず）を有する。化合物および推進剤は、複数のノズル開口部４１を通じて、鼻腔に送達される。
【００２６】
推進剤キャニスタ５の作動は、化合物のためのバイアル３０に対するポンプ２５の作動と効率的に協調される。この構成は、化合物のためのバイアル３０の作動が推進剤キャニスタ５の作動を生じさせるような構成とされ得る。図２は、休止時（図２Ａ）および作動時（図２Ｂおよび２Ｃ）におけるデバイス１を示す。
【００２７】
一例として、デバイス１の作動の段階分けは、以下の通りである。ハウジング１０は、推進剤キャニスタ５を準備するために圧迫される。ハウジング１０が圧迫されたときに、アクチュエータ５０はハウジング１０内で静止したままであるが、推進剤キャニスタ５およびバイアル３０は、アクチュエータ５０に向かって移動する。この時点では、推進剤キャニスタ５に結合された推進剤弁１５は、圧迫によって作動されない。アクチュエータ５０は、ポンプ２５に作用してポンプ２５を圧縮し、バイアル３０からの化合物は、用量チャンバ４５内に移動される。化合物の大部分が用量チャンバ４５内に移動した後、アクチュエータ５０は推進剤弁１５に作用し、推進剤弁１５は圧縮し始める。アクチュエータ５０の押圧が続けられることにより、推進剤キャニスタ５から推進剤が放出される。推進剤は、先端３５内に配置されたノズル４０のノズル開口部４１を通って化合物がデバイス１から出るときに、該化合物を押す。アクチュエータ５０は、ポンプ２５の最初の作動をもたらし、次いでポンプ２５が底に達すると、アクチュエータ５０の押圧が続けられることにより、キャニスタ５からの推進剤の放出がもたらされる。
【００２８】
デバイス１の代替的実施態様（図示せず）では、デバイス１は、拡散器２０を含まない。
【００２９】
図３は、デバイス１００のさらに別の実施態様を示す。デバイス１００は、バイアル３０または他の容器から、１回分または複数回分の用量を送達することができる。デバイス１００は、複数回分の用量、または１回分の用量がバイアル３０から送達されることを可能にする。例えば、バイアル３０は、複数回の投与のための化合物の体積を収容することができ、一方で、使用者は、バイアル３０から１回分の用量だけを送達することを決めることができる。化合物は、薬剤、医薬品有効成分、または医薬品製剤であり得る。
【００３０】
最初に、バイアル３０は、組み立てられたデバイス１００の残りの部分とは別体とされ得る。使用時に、デバイス１００およびバイアル３０は、それらのそれぞれの包装から取り出される。使用に先立って、バイアル３０は一般に、密封される。プラスチック製カバー、金属シール、および栓によりバイアル３０が覆われる態様では、プラスチック製カバーおよび金属シールは、バイアル３０の頂部から引き離され、ゴム栓は、バイアル３０から取り除かれる。バイアル３０は、デバイス１００の基部に配置されたポンプ取付具１８０にねじ込まれ得る。例えば、これに限定されないが、バイアル３０は、ポンプ取付具１８０上の雄ねじにねじ込まれ得る雌ねじを有してもよく、その逆でもよい。バイアル３０は、例えば、これに限定されないが、端点を含めて２〜３ｍｌ、別の態様では２〜２．５ｍｌの化合物を収容し得る。
【００３１】
図３に示されるように、デバイス１００は、ハウジング１１０を含む。ハウジング１１０は、ｙ字形接合器１２０を含むデバイス１００の構成要素を収容する。ｙ字形接合器１２０は、共通の基部から放射状に延びる３つの枝路を有する。ｙ字形接合器、およびその３つの枝路は、成形された構成要素であってもよい。ｙ字形接合器１２０は、デバイス１００内に流体および気体の両方の経路を構築し、かつ、推進剤キャニスタ１４０がデバイスと組み合わせられたときに、定量ポンプ１３０、用量チャンバ１５０、および推進剤キャニスタ１４０に接続する。
【００３２】
図３に示されるように、デバイス１００を使用するために、使用者は一般に、推進剤キャニスタ１４０を組み付けて上部に配置し、バイアル３０を組み付けて底部に配置させた状態で、デバイス１００を正しい向きに置く。デバイス１００のハウジング１１０内に収容されると、任意選択の逆止弁１６０（定量ポンプ１３０のステムに取り付けられている）は、ｙ字形接合器１２０の第１の枝路の受入ハブ内に圧入される。内部ボアが、定量ポンプ１３０から任意選択の逆止弁１６０およびｙ字形接合器１２０を経て用量チャンバ１５０への流体連通を提供する。１つの態様では、逆止弁１６０は、定量ポンプ１３０とｙ字形接合器１２０との間でプラスチック製ハウジング内に導入されるエラストマー構成要素である。任意選択の逆止弁１６０は、（ａ）ポンプステムが押圧され推進剤キャニスタ１４０が作動された場合に定量ポンプ１３０を通じて起こり得る用量漏れを軽減または排除し、（ｂ）デバイス１００による用量送達の一貫性の向上を可能にし、かつ／または、化合物がｙ字形接合器１２０の内部用量装填チャネル２３０が押し戻されて定量ポンプ１３０に入ることがないようにする。
【００３３】
動作時に使用されるように配向されると、デバイス１００の頂部に向かってデバイス１００のハウジング１１０内に収容された推進剤キャニスタ１４０は、ｙ字形接合器１２０の第２の枝路に圧入されて、内部ボアを通り拡散器１７０を経て用量チャンバ１５０に至る気体経路を構築する。
【００３４】
デバイス１００のこの実施態様では、拡散器１７０は環状である。図４に示されるように、環状拡散器１７０は、用量チャンバ１５０の後端にあるボアの内側に位置する。環状拡散器１７０の外径は、用量チャンバ１５０との圧縮嵌合状態にある。用量チャンバ１５０がｙ字形接合器１２０上に取り付けられると、ｙ字形接合器１２０の一部分として成形された内部用量装填チャネル２３０が、環状拡散器１７０の内部ボア内に嵌合する。環状拡散器１７０の内径は、ｙ字形接合器１２０の内部用量装填チャネル２３０部分との圧縮状態にある。環状拡散器１７０は、内部用量装填チャネル２３０の外壁と用量チャンバ１５０の内壁との間に着座されて、それらの表面の両方に対して封止して、用量チャンバ１５０の底部を形成する。
【００３５】
１つの態様では、拡散器１７０は、フリット１７１である。拡散器１７０は、（ａ）推進剤キャニスタ１４０内の液化推進剤の気体への変換をもたらし、（ｂ）推進剤の温度の上昇をもたらし、（ｃ）推進剤がデバイス１００内に逆流するのを防ぐ働きをし、（ｄ）化合物がデバイス１００内に逆流するのを防ぐ働きをし、かつ／または（ｅ）化合物が漏出するのを防ぐと同時に用量チャンバ１５０へ気体の流入を可能にする働きをする。拡散器は、多孔質ポリマー材料で作られ得る。
【００３６】
デバイス１００の動作における化合物と環状の拡散器１７０と内側用量装填チューブ２３０と用量チャンバ１５０とｙ字形接合器１２０との間の関係性が、少なくとも図６に示されている。動作にあたっては、用量チャンバ１５０内に装填されている化合物は、制限のより少ないルートを通ってバイアル３０から流れ出て、環状拡散器１７０を通ってｙ字形接合器１２０の推進剤の送達経路内へと後方に装填されるのではなく、用量チャンバ１５０を満たす。デバイス１００の動作にあたっては、動作の段階分けおよびデバイスの動作に必要とされる時間により、環状拡散器１７０は、推進剤キャニスタ１４０が化合物装填後に作動されるように、必要とされる期間にわたって化合物がｙ字形接合器１２０内に逆流するのを制限することが可能になる。適切なデバイス１００の使用中、定量ポンプ１３０および推進剤キャニスタ１４０を含むデバイス１００の全体的な作動は、おおよそ１秒、または１秒未満である。用量チャンバ１５０内の装填された用量には、ｙ字形接合器１２０内に逆流するに足りるほどの時間がない。用量チャンバ１５０が満ちるとすぐに、推進剤は、デバイス１００から化合物を放出する。
【００３７】
用量チャンバ１５０は、４５度の角度をなすｙ字形接合器１２０の第３の脚上で、ｙ字形接合器１２０に圧入されて、デバイスを通過する気体および流体の両方のための流路を完成させる。１つの態様では、角度は、端点および中間の角度を含め、３０度、３５度、４０度、４５度、５０度、５５度、６０度である。
【００３８】
ｙ字形接合器１２０は、デバイス１００のハウジング１１０内での組立体の固定および位置決めの助けとなるように、係合リブ（engagement rib）（図示せず）を含み得る。
【００３９】
デバイス１００は、ポンプ取付具１８０を含む。ポンプ取付具１８０は、定量ポンプ１３０をバイアル３０に固定し、かつ、デバイス１００の使用中に両方の構成要素を所定の位置に保持する。ポンプ取付具１８０の１つの態様は、それが係合リブからなるものであり、係合リブは、それをハウジング１１０内に保持し、垂直方向の変位を提供し、かつ、バイアル３０の取り付け中に回転を防止する。
【００４０】
デバイス１００は、用量チャンバ１５０を含む。用量チャンバ１５０は、ｙ字形接合器１２０の内側チューブから押し出された化合物を受容しかつ貯蔵する。推進剤キャニスタ１４０が作動されると、ｙ字形接合器１２０および用量チャンバ１５０は加圧され、推進剤気体は、化合物を用量チャンバ１５０から放出する。図５Ａおよび５Ｂに示されるように、用量チャンバ１５０は、ｙ字形接合器１２０内に圧入される。ノズル１９０は、それがｙ字形接合器１２０内に圧入されるのとは反対側の用量チャンバ１５０の端部内に取り付けられる。
【００４１】
ノズル１９０は、用量チャンバ１５０の遠位端部（用量チャンバ１５０がｙ字形接合器１２０内に圧入されるのとは反対側の端部）内に取り付けられて、外径の周りに液密および気密のシールを形成する。デバイス１００の作動中、推進剤は用量チャンバ１５０から液体化合物を抜いて、それをノズル１９０から押し出す。
【００４２】
ノズル１９０は、狭い噴煙角度（plume angle）（例えば、端点およびそれらの間の断続的な角度を含めて１から４０度の角度であり、１つの態様では、角度は、５度、１０度、１５度、２０度、２５度、３０度、３５度である）の多流沈着（multi-stream deposition）を形成する。ノズル１９０、および生成される噴煙の得られる角度は、使用者の鼻腔の嗅覚領域への化合物の送達を促進する。
【００４３】
この実施態様では、図８に示されるように、デバイス１００は、任意選択のノーズコーン２００を含み得る。ノーズコーン２００の外的な幾何形状は、鼻への挿入中にデバイス１００の適切な位置合わせを提供するのに役立つ。直径方向に向かい合った平坦面は、正確な挿入深さを提供する深さ止めとともに、どちらかの鼻孔の隔壁に対する配置を支援する。ノーズコーン２００は、設計に取り入れられた機械的干渉を通じて、ノズル１９０の保持に冗長性を付加する。図３および図８に示されるように、ノーズコーン２００には、ノズル１９０と一列に並ぶ開口部が存在する。ノーズコーン２００は、加圧される流路の一部ではない。
【００４４】
ハウジング１１０は、デバイス１００の本体に相当する。ハウジング１１０は、デバイス１００の構成要素を隠しかつ全ての構成要素を保持して機能性を保証する、２つの異なる「クラムシェル」を含む。ハウジング１１０は、定量ポンプ１３０およびポンプ取付具１８０、アクチュエータグリップ２１０、ｙ字形接合器１２０、推進剤キャニスタ１４０、ならびに用量チャンバ１５０を収容する。ノーズコーン２００は、ハウジング１１０の外側幾何形状上に係合する。ハウジング１１０は、例えば、これらに限定されないが、幾何形状内に成形されたマテルピン、留め具、柱もしくはねじ、またはそれらの組合せの使用を通じて容易に組み立てられるように設計される。
【００４５】
アクチュエータグリップ２１０は、使用者による作動変位（actuation displacement）を提供する。アクチュエータグリップ２１０は、２つの部品、アクチュエータグリップＡおよびアクチュエータグリップＢで構成され、かつ、ｙ字形接合器１２０を取り囲みハウジング１１０内に常駐する。図７は、使用者が指で、例えば、しかし限定されるのでなしに、人差し指および中指でデバイス１００に係合することを可能にするようにアクチュエータグリップ２１０に設計された、２つの指グリップノッチ２１５を示す。これらの指グリップノッチ２１５は、使用者が下向きの動きを加えてデバイス１００の作動を引き起こすことを可能にする。
【００４６】
定量ポンプ１３０は、化合物をバイアル３０からｙ字形接合器１２０へくみ上げる。定量ポンプ１３０は、特注のポンプ取付具１８０を利用して、デバイス１００内での機能性を高めるとともにねじ山を介したバイアル３０の取付けを可能にすることができる。定量ポンプ１３０は、例えば、これらに限定されないが、作動中に１８０μｌ、２００μｌ、または２３０μｌの体積を送達することができる。市販されている定量ポンプ１３０が使用され得る。
【００４７】
デバイス１００が化合物を一貫して送達するために、定量ポンプ１３０が最初に化合物を送達し、続いて推進剤キャニスタ１４０が作動して化合物を放出する必要がある。図７に示されるように、これを達成する１つの方法は、推進剤キャニスタ１４０とｙ字形接合器１２０との間の円錐形ばね２２０を介して、定量ポンプ１３０と推進剤キャニスタ１４０との間の正しい作動の順序をもたらすのに必要とされる推進剤キャニスタ１４０の作動力を生じさせるものである。１つの実施態様では円錐形ばね２２０が使用されるが、この力は円錐形ばね２２０によって生成されることに限定されるのではなく、他の機構が使用されてもよい。１つの態様では、円錐形ばね２２０は、約２５．５ｌｂｆ／ｉｎ（約１１．５６７ｋｇｆ／２．５４ｃｍ）のｋ値および３．２ｌｂｆ（約１．４５１ｋｇｆ）の最大荷重を伴って、ほぼゼロの予荷重を有する。ばねまたは機構の選択は、（ａ）適切なデバイス１００の段階分けを実現すること、（ｂ）デバイス１００内の物理的空間、および／または（ｃ）円錐形ばね２２０のどの程度の硬さにより様々な使用者がデバイス１００を作動させることがなおも可能となるかに関する使用者フィードバックについての考慮を含む。
【００４８】
円錐形ばね２２０は、推進剤キャニスタ１４０とｙ字形接合器１２０との間に直線的に取り付けられる。アクチュエータグリップ２１０は、推進剤キャニスタ１４０を物理的に保持する。使用者は、例えば、アクチュエータグリップ２１０から下方に作用するまたはバイアル３０から上方に作用する直線的な力を加えることにより、デバイス１００を作動させる。この力は、定量ポンプ１３０および推進剤キャニスタ１４０の両方を作動させるように同時に作用する。円錐形ばね２２０は、内部の推進剤キャニスタばねと並行して作用して、推進剤キャニスタ１４０を作動させるのに必要とされる必須の力を増大させる。推進剤キャニスタ１４０を作動させるのに必要とされる必須の力が定量ポンプ１３０を完全に作動させるのに必要とされる最大の必須の力を超えるように円錐形ばね２２０を選択することにより、デバイス１００は、推進剤気体が化合物をデバイス１００から放出し始める前に用量チャンバ１５０内に用量が装填されることを実現する。
【００４９】
デバイス１００の作動中、定量ポンプ１３０は、デバイス１００の底部にあるバイアル３０から、ｙ字形接合器１２０を介して内部用量装填チャネル２３０を経て用量チャンバ１５０内へ、液体化合物をくみ上げる。内部用量装填チャネル２３０は、化合物が環状拡散器１７０の多孔質材料を物理的に通過することを必要とすることなく環状拡散器１７０の前方に装填されるための明瞭なルートを提供する。図６に示されるように、小矢印頭部は、推進剤の流れを表し、大矢印頭部は、化合物の流れを表す。使用者が投与するのに先だって、定量ポンプ１３０およびｙ字形接合器１２０の内部用量装填チャネル２３０を完全に満たすために、プライミングショット（priming shot）が必要とされ得る。投与キャップ（図示せず）が、デバイス１００のノーズコーン２００を覆ってプライミングショットを捕捉すると同時に、デバイスがプライミングされたことを示す使用者への可視指示の手段を提供してもよい。
【００５０】
デバイス１００の作動の第２の段階では、用量チャンバ１５０が満たされると、推進剤キャニスタ１４０は、推進剤を放出し、推進剤は、ｙ字形接合器１２０の頂部から入って、図６において白抜き矢印頭部によって示された経路を辿る。推進剤は、推進剤の気化を促進する環状拡散器１７０の多孔質材料を物理的に流れる。推進剤は、デバイス１００内に着座された環状拡散器１５０の遠位の（遠位は、ノズル１９０により近いことであり、近位は、ノズル１９０からより遠いことである）面において、最初に化合物に接触する。推進剤が膨張し続けるにつれて、それは、化合物を用量チャンバ１５０内で前方に（ノズル１９０に向かって）押し、用量チャンバ１５０の端部においてノズル１９０から出る。
【００５１】
推進剤キャニスタ１４０は、デバイス１００に推進エネルギーを提供する。推進剤弁のステムは、ｙ字形接合器１２０の頂部受容部内に着座する。使用中、使用者は、アクチュエータグリップ２１０押し下げ、それが推進剤キャニスタ１４０の本体を引き下げて、推進剤弁を作動させる。これが、定量の液体推進剤を放出する。推進剤が気化しかつ膨張するにつれて、化合物は、用量チャンバ１５０の外へ押し出されて、ノズル１９０を通して外へ押し出される。
【００５２】
推進剤の例として、これに限定されないが、推進剤キャニスタ１４０は、システムのための推進剤としてＨＦＡ１３４Ａを使用する。他の推進剤も想定される。市販の推進剤キャニスタ１４０が存在する。
【００５３】
デバイス１００、推進剤キャニスタ１４０、およびバイアル３０は、全て、キット内に一緒に含まれるかまたは提供されてもよい。
【実施例１】
【００５４】
以下の表は、本明細書に記載のデバイスの１つの実施態様に関するデータを提供する。
【００５５】
【表１】
2020185475.tif 000003
【００５６】
以下の条項は、本開示に記載の特徴を実施するための複数の可能な実施形態を説明した。本明細書に記載の様々な実施形態は、限定するものではなく、任意の所与の実施形態からのあらゆる特徴も、別の実施形態に存在することを必要とされるものではない。文脈が特に明確に示していない限り、実施形態のうちの任意の２つ以上が組み合わせられてもよい。本明細書において、この文書では「または（or）」は、および／または（and/or）を意味する。例えば、「ＡまたはＢ」は、Ｂを含まないＡ、Ａを含まないＢ、または、ＡおよびＢを意味する。本明細書において、「備える（comprising）」は、挙げられた全ての特徴を含むこと、および、挙げられていない他の特徴の追加を潜在的に含むことを意味する。「本質的に・・・からなる（Consisting essentially of）」は、挙げられた特徴と、挙げられた特徴の基本的な特性および新規の特性に実質的に影響を及ぼさないそれらの追加の特徴とを含むことを意味する。「・・・からなる（Consisting of）」は、挙げられていないいかなる特徴をも除外して、挙げられた特徴のみを意味する。
【００５７】
条項１。化合物の鼻腔内送達のためのデバイスであって、
基部、基部から放射状に延びるｙ字形接合器の第１の枝路、基部から放射状に延びるｙ字形接合器の第２の枝路、基部から放射状に延びるｙ字形接合器の第３の枝路、およびｙ字形接合器の内部用量装填チャネルを含むｙ字形接合器と、
ｙ字形接合器の第１の枝路と流体連通している定量ポンプと、
ｙ字形接合器の第２の枝路に結合する円錐形ばねと、
ｙ字形接合器の第３の枝路と流体連通している用量チャンバと、
用量チャンバに結合するノズルと、
内部用量装填チャネルと用量チャンバとの間の拡散器と、
ｙ字形接合器を取り囲むアクチュエータグリップと、
ｙ字形接合器が内在するハウジングと
を備えるデバイス。
【００５８】
条項２。ｙ字形接合器の第２の枝路と流体連通しかつアクチュエータグリップによって保持される推進剤キャニスタをさらに備え、円錐形ばねは推進剤キャニスタとｙ字形接合器の第２の枝路との間に位置する
条項１乃至１１のいずれか一項に記載のデバイス。
【００５９】
条項３。定量ポンプと流体連通しているバイアルをさらに備える条項１乃至１１のいずれか一項に記載のデバイス。
【００６０】
条項４。定量ポンプをバイアルに固定するポンプ取付具をさらに備える条項３に記載のデバイス。
【００６１】
条項５。定量ポンプとｙ字形接合器との間に結合する逆止弁をさらに含む条項１乃至１１のいずれか一項に記載のデバイス。
【００６２】
条項６。ハウジングに係合しているノーズコーンをさらに含む条項１乃至１１のいずれか一項に記載のデバイス。
【００６３】
条項７。ノーズコーンを覆う投与キャップをさらに備える条項６に記載のデバイス。
【００６４】
条項８。ｙ字形接合器の第３の枝路はｙ字形接合器の基部から４５度の角度にある条項１乃至１１のいずれか一項に記載のデバイス。
【００６５】
条項９。拡散器は環状である条項１乃至１１のいずれか一項に記載のデバイス。
【００６６】
条項１０。拡散器は多孔質材料である条項１乃至１１のいずれか一項に記載のデバイス。
【００６７】
条項１１。拡散器は用量チャンバの底を形成する条項１乃至１１のいずれか一項に記載のデバイス。
【００６８】
条項１２。化合物の鼻腔内送達のためのデバイスであって、
先端、アクチュエータ、および用量チャンバを含むハウジングであって、先端および用量チャンバはハウジング内で流体連通しているハウジングと、
先端の遠位部分に位置するノズルであって、化合物のための出口を提供し、複数のノズル開口部を含むノズルと、
用量チャンバと流体連通しているポンプであって、アクチュエータが作動したとき化合物を用量チャンバ内に移動させるためのポンプと
を備えるデバイス。
【００６９】
条項１３。ハウジングに結合する推進剤キャニスタをさらに備え、推進剤キャニスタは、アクチュエータによって作動される推進剤弁を有し、推進剤キャニスタは、用量チャンバと流体連通している条項１２乃至１５のいずれか一項に記載のデバイス。
【００７０】
条項１４。化合物をバイアルから用量チャンバ内に移動させるためのポンプに結合する化合物のバイアルをさらに備える条項１２乃至１５のいずれか一項に記載のデバイス。
【００７１】
条項１５。拡散器をさらに含む条項１２乃至１５のいずれか一項に記載のデバイス。
【００７２】
条項１６。鼻腔の嗅覚領域への化合物の鼻腔内送達のためのデバイスであって、
先端、アクチュエータ、および用量チャンバを含むハウジングであって、先端および用量チャンバはハウジングと流体連通しているハウジングと、
先端の遠位部分に位置するノズルであって、化合物のための出口を提供し、複数のノズル開口部を含むノズルと、
用量チャンバと流体連通しているポンプであって、アクチュエータが作動したとき化合物を用量チャンバ内に移動させるためのポンプと、
ハウジングと結合する推進剤キャニスタであって、アクチュエータによって作動される推進剤弁を有し、用量チャンバと流体連通している推進剤キャニスタと、
化合物をバイアルから用量チャンバ内に移動させるためのポンプに結合する化合物のバイアルと
を備え、
アクチュエータは、デバイスが作動したとき、化合物を用量チャンバ内に移動させるポンプを圧縮し、推進剤弁の作動が、化合物を押す推進剤を分散させて、化合物が複数のノズル開口部を通ってデバイスから出ることを実現するデバイス。
【００７３】
条項１７。条項１乃至１６のいずれか一項に記載のデバイス、推進剤キャニスタ、およびバイアルを含むキット。
【００７４】
本発明は、本明細書に記載の特定の実施態様による範囲に限定されるものではない。実際には、上記の説明および添付の図面から、本発明の様々な修正形態が、本明細書に記載のものに加えて当業者には明らかになるであろう。そのような修正形態は、添付の特許請求の範囲に記載の範囲に含まれることが意図されている。
【図１】
2020185475.tif 000004
【図２】
2020185475.tif 000005
【図３】
2020185475.tif 000006
【図４】
2020185475.tif 000007
【図５Ａ】
2020185475.tif 000008
【図５Ｂ】
2020185475.tif 000009
【図６】
2020185475.tif 000010
【図７】
2020185475.tif 000011
【図８】
2020185475.tif 000012